(57)【特許請求の範囲】
【請求項１】
デジタル変調の受信信号についての同期確立後に継続する同期継続期間であるか否かを判定する同期継続期間判定手段、
前記同期継続期間に受信信号から抽出した各フレームの内、そのフレーム同期ワードが検出不能又はそのチャネル情報検出チャネルのデータが不適格であるフレームを不適格フレームとして検出する不適格フレーム検出手段、及び
チャネル情報検出チャネルのデータが適格となっている不適格フレームについては、該データからチャネル情報を取得して、該チャネル情報に基づき該不適格フレームの各機能チャネルのデータを処理するデータ処理手段、
を備え、
前記データ処理手段は、チャネル情報検出チャネルのデータが不適格となっている不適格フレームについては、該不適格フレームより前に受信した１以上のフレームに適用したチャネル情報に基づき該不適格フレームのチャネル情報を決定し、決定チャネル情報を該不適格フレームに適用して該不適格フレームの各機能チャネルのデータを処理することを特徴とするデジタル受信機。
【請求項２】
前記データ処理手段は、チャネル情報検出チャネルのデータが不適格である不適格フレームに対し、該不適格フレームのチャネル情報を該不適格フレームより１つ前に受信したフレームに適用したチャネル情報に決定するか、又は該１つ前に受信したフレームを含む第１の所定数の連続順番のフレームに適用したチャネル情報がすべて同一である場合には、該同一のチャネル情報に該不適格フレームのチャネル情報を決定するかし、決定チャネル情報を該不適格フレームに適用して該不適格フレームの各機能チャネルのデータを処理することを特徴とする請求項１記載のデジタル受信機。
【請求項３】
前記データ処理手段は、チャネル情報検出チャネルのデータが不適格である不適格フレームに対し、該不適格フレームより１つ前に受信したフレームを含む第２の所定数の連続順番のフレームに適用したチャネル情報について周期性がある場合には、該不適格フレームのチャネル情報を該周期性に基づき決定し、決定チャネル情報を該不適格フレームに適用して該不適格フレームの各機能チャネルのデータを処理することを特徴とする請求項１又は２記載のデジタル受信機。
【請求項４】
デジタル変調の受信信号についての同期確立後に継続する同期継続期間であるか否かを判定する同期継続期間判定ステップ、
前記同期継続期間に受信信号から抽出した各フレームの内、そのフレーム同期ワードが検出不能又はそのチャネル情報検出チャネルのデータが不適格であるフレームを不適格フレームとして検出する不適格フレーム検出ステップ、及び
チャネル情報検出チャネルのデータが適格となっている不適格フレームについては、該データからチャネル情報を取得して、該チャネル情報に基づき該不適格フレームの各機能チャネルのデータを処理するデータ処理ステップ、
を備え、
前記データ処理ステップは、チャネル情報検出チャネルのデータが不適格となっている不適格フレームについては、該不適格フレームより前に受信した１以上のフレームに適用したチャネル情報に基づき該不適格フレームのチャネル情報を決定し、決定チャネル情報を該不適格フレームに適用して該不適格フレームの各機能チャネルのデータを処理することを特徴とするデジタル受信機制御方法。
【請求項５】
請求項１〜３のいずれかに記載のデジタル受信機の各手段としてコンピュータを機能させるプログラム。
【発明の詳細な説明】
【技術分野】
【０００１】
本発明は、各フレームの各機能チャネルのデータをチャネル情報に基づき抽出するデジタル受信機、制御方法及びプログラムに関するものである。
【背景技術】
【０００２】
特許文献１は、デジタル受信機における受信フレームがフレーム同期ワード、リンク情報及び低速情報チャネルを含む構成であること（特許文献１の段落０００８及び図２）、及び同期処理を実施して同期を確立すること（特許文献１の段落０００９及び図３）を開示する。
【０００３】
特許文献２は、デジタル受信機の同期処理において、受信信号と所与のフレーム同期ワードとの相関値を算出して、該相関値に基づき同期タイミングを決めること（特許文献２の図６のフローチャート）、及び受信信号から抽出したデータと所与のフレーム同期ワードのデータとのエラービット数を計数し、該エラービット数に基づき同期タイミングを決めること（特許文献２の図４及び図７のフローチャート）を開示する。
【特許文献１】特開２００７−３６９７５号公報
【特許文献２】特開２００４−４０２２２号公報
【発明の開示】
【発明が解決しようとする課題】
【０００４】
デジタル受信機におけるフレームの機能チャネルからのデータ抽出は、フレームのリンク情報チャネルの情報に基づき行われるが、受信信号の電界強度が小さい場合や、大きなレベルの妨害波が受信信号に含まれる場合には、同期タイミングの検出や、リンク情報チャネルからのデータ抽出が困難になる。従来のデジタル受信機では、そのような場合、フレームのチャネル情報が不明となるために、該フレームからの機能チャネルのデータ抽出は一切行われていない。したがって、受信音声や受信データの途切れが生じている。
【０００５】
特許文献１，２は、フレーム構成や、同期検出の方式について開示するものの、フレームについて、その同期検出が困難になったり、そのリンク情報チャネルのデータにエラーが生じたりする場合に、該フレームからの機能チャネルのデータを適切に抽出に手立てについての言及及び示唆はない。
【０００６】
本発明の目的は、フレーム同期ワードの検出が一時的に不能になったり、そのチャネル情報検出チャネルのデータが一時的に不適格に陥った場合にも、該当フレームから機能チャネルのデータを適切に抽出して、受信音声や受信データの途切れを抑制することができるデジタル受信機、制御方法及びプログラムを提供することである。
【課題を解決するための手段】
【０００７】
本発明によれば、デジタル変調の受信信号についての同期確立後に継続する同期継続期間における受信フレームについては、フレーム同期ワードの検出が不能であっても、チャネル情報検出チャネルのデータが適格である場合には、該チャネル情報検出チャネルからチャネル情報を抽出して、該チャネル情報に基づき不適格フレームの機能チャネルのデータを処理する。
【０００８】
本発明では、また、同期継続期間では、チャネル情報検出チャネルのデータが不適格であっても、過去フレームに適用したチャネル情報に基づき不適格フレームのチャネル情報を決定し、該チャネル情報に基づき不適格フレームの機能チャネルのデータを処理する。
【０００９】
本発明のデジタル受信機は、デジタル変調の受信信号についての同期確立後に継続する同期継続期間であるか否かを判定する同期継続期間判定手段、前記同期継続期間に受信信号から抽出した各フレームの内、そのフレーム同期ワードが検出不能又はそのチャネル情報検出チャネルのデータが不適格であるフレームを不適格フレームとして検出する不適格フレーム検出手段、及びチャネル情報検出チャネルのデータが適格となっている不適格フレームについては、該データからチャネル情報を取得して、該チャネル情報に基づき該不適格フレームの各機能チャネルのデータを処理するデータ処理手段、を備え、前記データ処理手段は、チャネル情報検出チャネルのデータが不適格となっている不適格フレームについては、該不適格フレームより前に受信した１以上のフレームに適用したチャネル情報に基づき該不適格フレームのチャネル情報を決定し、決定チャネル情報を該不適格フレームに適用して該不適格フレームの各機能チャネルのデータを処理することを特徴とする。
【００１０】
本発明のデジタル受信機制御方法は、デジタル変調の受信信号についての同期確立後に継続する同期継続期間であるか否かを判定する同期継続期間判定ステップ、前記同期継続期間に受信信号から抽出した各フレームの内、そのフレーム同期ワードが検出不能又はそのチャネル情報検出チャネルのデータが不適格であるフレームを不適格フレームとして検出する不適格フレーム検出ステップ、及びチャネル情報検出チャネルのデータが適格となっている不適格フレームについては、該データからチャネル情報を取得して、該チャネル情報に基づき該不適格フレームの各機能チャネルのデータを処理するデータ処理ステップ、を備え、前記データ処理ステップは、チャネル情報検出チャネルのデータが不適格となっている不適格フレームについては、該不適格フレームより前に受信した１以上のフレームに適用したチャネル情報に基づき該不適格フレームのチャネル情報を決定し、決定チャネル情報を該不適格フレームに適用して該不適格フレームの各機能チャネルのデータを処理することを特徴とする。
【００１１】
本発明のプログラムは、前述の本発明のデジタル受信機の各手段としてコンピュータを機能させる。
【発明の効果】
【００１２】
本発明によれば、不適格フレームについても、チャネル情報を適用して、該不適格フレームから機能チャネルのデータを抽出することができるので、同期継続期間の受信音声や受信データの途切れを抑制することができる。
【発明を実施するための最良の形態】
【００１３】
図１は携帯型デジタル無線機１０の概略構成図である。携帯型デジタル無線機１０の受信モード期間では、基地局又は相手機（共に図示せず）からの電波は、アンテナ１１において捕捉され、ＲＦ信号へ変換される。該ＲＦ信号は、図示していない第１段ＩＦ生成部において第１段ＩＦ信号に変換されてから、第２段ＩＦ生成部１４において第２段ＩＦ信号へ変換される。該第２段ＩＦ信号は、アンプ１５において増幅されてから、Ａ／Ｄコンバータ１６においてデジタル信号へ変換される。
【００１４】
ＤＳＰ２０はボコーダ２１を実装する。ＤＳＰ２０は、Ａ／Ｄコンバータ１６からのデジタル信号を復調して、シンボルデータを抽出して、受信フレームを生成する。ＤＳＰ２０は、該受信フレームから制御情報を抽出して、マイコン２６へ送る。マイコン２６は、ＤＳＰ２０からのデータやメモリ２５内のその他のデータ等に基づきＤＳＰ２０に対して各種処理についての指示を出す。
【００１５】
ボコーダ２１は、コーデック部２４と共働して、受信モード期間では、フレームから抽出された音声データからアナログ音声信号を再生し、送信モード期間では、アナログ音声信号を音声データへ変換する。受信モード期間では、アンプ２８は、コーデック部２４から供給される音声信号を増幅して、音量調整部２９へ送る。音声信号は、音量調整部２９においてレベルを調整されてから、スピーカ３０へ供給され、スピーカ３０において音へ変換されて出力される。
【００１６】
送信モード期間では、ユーザの声がマイクロホン３５において音声（電気）信号へ変換され、該音声信号は、アンプ３６において増幅されてから、コーデック部２４へ入力され、さらに、コーデック部２４とボコーダ２１との共働処理により音声データへ変換される。コーデック部２４は、音声データやその他のデータを格納する所定構成のフレームに係るデジタル変調信号を出力し、該デジタル変調信号はスイッチ４０、アンプ４１及びレベル調整部４２を経て電圧制御発振器４３へ供給される。電圧制御発振器４３は、レベル調整部４２からのデジタル変調信号に基づきＲＦ信号を生成し、該ＲＦ信号は、アンテナ１１から電波で発信される。
【００１７】
図２は携帯型デジタル無線機１０において利用するフレームの構成図である。図２において、フレームＦ１はフレームの一般構成を示している。フレームの先頭から１番目及び２番目のブロックにはそれぞれフレーム同期ワード（ＦＳＷ：Frame Synchronous Word）及びリンク情報チャネル（ＬＩＣＨ：Link Information Channel）が配置され、機能チャネルがリンク情報チャネルに後続している。リンク情報チャネルのリンク情報には、該リンク情報チャネルが格納されているフレームの構成に係る情報と共に、該フレームの種別（例：後述のフレームＦ２，Ｆ３）に関する情報が含まれる。機能チャネルとは、リンク情報チャネルに後続する各種チャネルの総称であり、その具体例はフレームＦ２，Ｆ３において説明する。
【００１８】
フレームＦ２では、リンク情報チャネルの後に、機能チャネルとして低速情報チャネル（ＳＡＣＣＨ）と４個の音声チャネル（ＶＣＨ）がその順番に続いている。フレームＦ３では、フレームＦ２の４個の音声チャネルの内、前の２つと後ろ２つとがそれぞれ共に高速情報チャネル１（ＦＡＣＣＨ１）に置き換えられている。高速情報チャネル１，２も機能チャネルである。
【００１９】
データを高速に送信する必要がある場合には、音声チャネルをスチールして、代わりに高速情報チャネルを置いたフレームＦ３が伝送される。フレームＦ３は、連続して伝送される場合と、フレームＦ２と交互に伝送される場合とがある。例えば、通信レートが９６００ｂｐｓと４８００ｂｐｓとの２種類、設定されている場合、９６００ｂｐｓでの通信期間では、音声は、４８００ｂｐｓの通信期間の半分の時間で伝送できるので、フレームＦ２とフレームＦ３とを交互に伝送している。
【００２０】
図３は受信電波不良時のフレームの構成説明図である。フレームＦ４では、フレームＦ２を受信したにもかかわらず、フレーム同期ワード（ＦＳＷ）がＮＧ（不適格）となっている。フレーム同期ワードの検出は、後述の図５及び図６のＳ５１，Ｓ５２，Ｓ６１，Ｓ６２で詳説するように、相関値やフレーム同期ワードのビットエラー数に基づき行われる。フレーム同期ワードについてＮＧとは、フレーム同期ワードの検出が不能であったことを意味し、ＯＫとは可能であったことを意味するものとする。
【００２１】
フレーム同期ワードがＮＧであるフレームであっても、フレームＦ４のように、それに後続するチャネル情報（ＬＩＣＨ）等はＯＫであることがある。なお、リンク情報チャネルがそれぞれＯＫ及びＮＧであるとは、リンク情報チャネルのデータについての誤り検査（エラーチェック）においてそれぞれエラー無し及びエラー有りであることを意味するものとする。従来のデジタル受信機では、フレーム同期ワードがＮＧであれば、それ以降のリンク情報チャネル等のデータについて信頼性がないと判断して、それらデータを抽出することはなかった。これに対し、携帯型デジタル無線機１０では、フレーム同期ワードがＮＧであるフレームであっても、リンク情報チャネルがＯＫである場合には、該フレームのリンク情報チャネルからリンク情報を抽出し、該リンク情報に基づき該フレームの各機能チャネルのデータを処理する。
【００２２】
フレームＦ５は、フレーム同期ワード及びリンク情報チャネルがそれぞれＯＫ及びＮＧである場合を示す。フレームＦ６は、フレーム同期ワード及びリンク情報チャネルが共にＮＧである場合を示す。フレームＦ５，Ｆ６の場合は、共にリンク情報チャネルのデータが不明となるので、機能チャネルとして具体的にどのようなものが含まれているかが不明になってしまう。しかしながら、携帯型デジタル無線機１０では、後述するように、所定の処理により該フレームのチャネル情報を決定して、該チャネル情報に基づき該フレームから機能チャネルのデータを適切に取得するようになっている。
【００２３】
図４は携帯型デジタル無線機１０における一連の同期処理における状態遷移図である。フレーム同期ワードの初期同期の検出処理を「サーチ」と定義する。また、サーチにより同期が確立した後、フレーム同期ワードに追従する処理を「リンク」と定義する。サーチにより同期が確立すると、「サーチ」状態から「リンク」状態へ遷移する。リンク状態期間に、フレーム同期ワードのＮＧが所定回数Ｃ１、連続して起きた場合、又はリンク情報チャネルのＮＧが所定回数Ｃ２、連続して起きた場合は、「同期はずれ」とする。「リンク」状態は、同期はずれが生じるまで、維持され、同期はずれが生じると、「リンク」状態から「サーチ」状態へ遷移する。
【００２４】
図５は携帯型デジタル無線機１０における同期確立方法５０のフローチャートである。サーチ状態期間のＳ５１では、フレーム同期ワードの相関処理がＯＫであるかＮＧであるかを判定する。フレーム同期ワードの相関処理がＯＫであるとは、受信データと所与のフレーム同期ワードに係るデータとの相関値が所定の閾値以上になったことを意味し、ＮＧとは閾値未満であることを意味する。Ｓ５１の判定がＯＫである場合は、Ｓ５２へ進み、ＮＧである場合には、サーチ状態を維持して、Ｓ５１を繰り返す。
【００２５】
Ｓ５２では、フレーム同期ワードのビットエラー判定がＯＫであるかＮＧであるかを判定し、ＯＫであれは、Ｓ５３へ進み、ＮＧであれば、サーチ状態を維持して、Ｓ５１へ戻る。フレーム同期ワードのビットエラー判定とは、具体的には、フレーム同期ワードの受信期間における受信データと所与のフレーム同期ワードのデータとの対比においてエラービット数が所定の閾値以上であれば、ＮＧの判定を下し、該閾値未満であれば、ＯＫの判定を下すものである。Ｓ５１，Ｓ５２の判定が共にＯＫとなると、携帯型デジタル無線機１０における同期が確立されたと、判断する。
【００２６】
Ｓ５３では、リンク情報チャネル（ＬＩＣＨ）のデータを取得する。Ｓ５４では、Ｓ５３のデータから抽出したリンク情報に基づき、該データを含んでいたフレームの構成（チャネル情報）を把握し、該構成に基づき該フレームの各機能チャネルからデータを抽出する。Ｓ５４の後、リンク状態へ遷移する。
【００２７】
図６は携帯型デジタル無線機１０における同期追従方法６０のフローチャートである。同期追従方法６０は、サーチにおける同期確立後、フレーム周期に同期して実施される。
【００２８】
Ｓ６１，Ｓ６２は同期確立方法５０のＳ５１，Ｓ５２と同一の処理である。Ｓ６１，Ｓ６２の判定が共にＯＫであるならば、Ｓ６７へ進み、いずれか一方がＮＧであるならば、Ｓ６４へ進む。Ｓ６４では、同期はずれが生じたか否かを判定し、判定が正であれば、同期確立方法５０（図５）へ戻り、判定が否であれば、Ｓ６７へ進む。同期はずれとは、図４の説明に関連して前述したとおりである。
【００２９】
Ｓ６７では、当該フレーム（以下、今回処理対象となっているフレームを適宜「当該フレーム」という。）からリンク情報チャネルのデータを取得して、Ｓ６８へ進む。Ｓ６８では、Ｓ６７で取得したデータについて誤り検査を行う。そして、該データについての誤り検査がＯＫ（エラー無し）であれば、Ｓ７２へ進み、ＮＧ（エラー有り）であれば、Ｓ７３へ進む。
【００３０】
Ｓ６８からＳ７２へ進む場合のフレームには、フレーム同期ワード（ＦＳＷ）及びリンク情報チャネル（ＬＩＣＨ）が共にＯＫである図２のフレームＦ２，Ｆ３の他に、図３のフレームＦ４が含まれる。Ｓ６８からＳ７３へ進む場合のフレームには、図３のフレームＦ５，Ｆ６が含まれる。Ｓ７２では、データがエラー無しと判定されたリンク情報チャネルから抽出したチャネル情報を保持、すなわちメモリに記憶する。
【００３１】
Ｓ７２に対して、Ｓ７３では、当該フレームについてチャネル情報を構築する。当該フレームでは、リンク情報チャネルがエラーのためそのデータを使用できないので、Ｓ７２における当該フレームについてのチャネル情報構築は、過去の受信フレームに基づき行われる。過去の受信フレームに基づくチャネル情報構築の具体的な仕方は図７及び図８を参照して後述する。
【００３２】
Ｓ７４では、Ｓ７２で保持したチャネル情報又はＳ７３で構築したチャネル情報に基づき  当該フレームの構成を把握するとともに、該構成に基づき各機能チャネルからデータを抽出する。
【００３３】
図７はフレーム同期ワード及びリンク情報チャネルが共にＮＧであるフレームのチャネル情報構築の説明図である。図７のようなフレーム同期ワード及びリンク情報チャネルが共にＮＧであるフレーム（図３のフレームＦ６）や、リンク情報チャネルのみがＮＧであるフレーム（図３のフレームＦ５）については、該フレームのリンク情報チャネルからはチャネル情報を構築することができない。
【００３４】
これに対処し、携帯型デジタル無線機１０では、当該フレーム（以下、適宜「フレームＡ」という。）が、それより１つ前に受信したフレーム（以下、適宜「フレームＢ」という。）と同一の同期継続期間、すなわち図６の同期追従方法６０において、サーチへ遷移することなく、同期追従方法６０内のステップを循環している期間に属し、かつフレームＢに対して適用したチャネル情報が音声通信のフレーム（図２のフレームＦ２）のチャネル情報である場合、フレームＡも、図７の下側のフレームのように、フレームＦ２であるとして、フレームＡのチャネル情報をフレームＢ（＝フレームＦ２）のチャネル情報と同じものに決定する。この決定は、一般的な無線機における音声通信期間では、専ら音声通信のフレーム（図２のフレームＦ２）だけが連続して送信され、その他の種類のフレームが使用されることは極めてまれであることに依拠する。
【００３５】
なお、フレームＢに対して適用されたチャネル情報とは、フレームＢのリンク情報チャネルのデータについての誤り検査がＯＫである場合には、該フレームＢ自体のリンク情報チャネルのデータから抽出したチャネル情報であり、また、フレームＢのリンク情報チャネルのデータについての誤り検査がＮＧである場合には、フレームＢのチャネル情報はフレームＢよりさらに１つ前に受信したフレームＣ（フレームＣはフレームＢと同一の同期継続期間に属する場合に限る。）に適用されたチャネル情報となる。
【００３６】
図８はリンク情報チャネルがＮＧであるフレームのチャネル情報を受信フレームの履歴に基づき構築する場合の内部メモリ７８における履歴格納状態を示している。内部メモリ７８において、チャネル情報［０］，［１］，［２］，・・・は、それぞれ当該フレームに対して１つ前、２つ前、３つ前・・・に受信したフレームについて適用したチャネル情報となっている。内部メモリ７８には、受信が１つ前のフレームのチャネル情報［０］からＮ個前のフレームのチャネル情報［Ｎ−１］までの計Ｎ個の受信フレームに対して適用したチャネル情報が格納されている。
【００３７】
内部メモリ７８における各フレームに適用したチャネル情報とは、該フレームのリンク情報チャネルのデータについての誤り検査がＯＫであって、該データに基づき決定したチャネル情報だけでなく、該フレームのリンク情報チャネルのデータについての誤り検査がＮＧであって、該フレームの受信時の内部メモリ７８の履歴情報に基づき該フレームのチャネル情報として決定したものも含む。当該フレームのチャネル情報が決定されしだい、それ以前のチャネル情報［１］，［２］，・・・［Ｎ−２］はそれぞれチャネル情報［１］，［２］，・・・［Ｎ−１］に上書きされるとともに、当該フレームのチャネル情報はチャネル情報［０］に格納される。
【００３８】
チャネル情報の履歴に基づき当該フレームのチャネル情報を決定する方法について述べる。チャネル情報［０］，［１］，［２］，・・・［Ｎ−１］がすべて同一（例：図２のフレームＦ２）である場合には、当該フレームのチャネル情報をその同一のチャネル情報に決定する。また、チャネル情報［０］，［１］，［２］，・・・［Ｎ−１］が、図２のフレームＦ２とＦ３とのチャネル情報を交互に繰り返している場合には、当該フレームのチャネル情報をチャネル情報［０］とは別のチャネル情報、すなわちチャネル情報［１］に決定する。
【００３９】
なお、過去の受信フレームのチャネル情報が同一であるか否かを判断するにあたり、Ｎに限定せず、Ｎより小さい自然数Ｌ（２≦Ｌ＜Ｎ）を設定し、チャネル情報［０］，［１］，・・・［Ｌ−１］が同一であれば、当該フレームのチャネル情報を該同一のチャネル情報に決定してもよい。逆に、Ｌ＞Ｎとすることもできる。ただし、その場合は、内部メモリ７８に残すチャネル情報の個数はＬに設定される。
【００４０】
図９はデジタル受信機８０のブロック図である。前述の携帯型デジタル無線機１０はデジタル受信機８０の具体例である。携帯型デジタル無線機１０は、送信機も兼ねているが、デジタル受信機８０は送信機能を具備していなくてもよい。デジタル受信機８０は携帯型でなくてもよい。デジタル受信機８０は同期継続期間判定手段８１、不適格フレーム検出手段８２及びデータ処理手段８３を備えている。
【００４１】
同期継続期間判定手段８１は、デジタル変調の受信信号についての同期確立後に継続する同期継続期間であるか否かを判定する。不適格フレーム検出手段８２は、同期継続期間に受信信号から抽出した各フレームの内、そのフレーム同期ワードが検出不能又はそのチャネル情報検出チャネルのデータが不適格であるフレームを不適格フレームとして検出する。データ処理手段８３は、チャネル情報検出チャネルのデータが適格となっている不適格フレームについては、該データからチャネル情報を取得して、該チャネル情報に基づき該不適格フレームの各機能チャネルのデータを処理する。
【００４２】
デジタル変調の受信信号についての同期確立後に継続する同期継続期間の具体例は、同期追従方法６０（図６）において、Ｓ６４の判定が正になることなく、同期追従方法６０の実施が継続している期間である。同期確立は例えば同期確立方法５０（図５）に則って行われ。同期確立方法５０における同期確立では、Ｓ５１の相関値判定及びＳ５２のフレーム同期ワードのビットエラー数判定が共にＯＫとなった時としているが、同期継続期間判定手段８１では、同期確立の判定処理としてＳ５１，Ｓ５２のいずれか一方のみを採用し、該一方の判定がＯＫであれば、同期が確立したとすることもできる。
【００４３】
不適格フレームの具体例は、図３のフレーム４〜６である。チャネル情報検出チャネルの具体例は図２のフレーム１〜３のリンク情報チャネル（ＬＩＣＨ）である。チャネル情報検出チャネルのデータが適格となっている不適格フレームの具体例は図３のフレーム４である。データ処理手段８３におけるチャネル情報に基づく不適格フレームの各機能チャネルのデータ処理とは、例えば、該不適格フレームからの各機能チャネルのデータの抽出である。
【００４４】
デジタル受信機８０では、受信フレームにおけるフレーム同期ワードが検出不能になっていても、該受信フレームにおけるチャネル情報検出チャネルのデータが適格と判断されれば、該データからチャネル情報を抽出し、該チャネル情報に基づき該受信フレームの各機能チャネルのデータを処理するので、すなわち、従来は、抽出を断念していたデータを抽出することになるので、従来のデジタル受信機よりも受信音声や受信データの途切れを抑制することができる。
【００４５】
好ましくは、データ処理手段８３は、チャネル情報検出チャネルのデータが不適格となっている不適格フレームについては、該不適格フレームより前に受信した１以上のフレームに適用したチャネル情報に基づき該不適格フレームのチャネル情報を決定し、決定チャネル情報を該不適格フレームに適用して該不適格フレームの各機能チャネルのデータを処理する。該不適格フレームより前に受信したフレームは、適格フレーム（＝不適格フレームでないフレーム）及び不適格フレームのどちらであってもよいとする。前述の携帯型デジタル無線機１０では、図７及び図８で説明したように、過去の受信フレームに適用したリンク情報に基づき当該フレーム（今回処理対象の受信フレーム）のリンク情報を決定していた。チャネル情報検出チャネルのデータが不適格となっている不適格フレームの具体例は、図３のフレームＦ５，Ｆ６である。
【００４６】
典型的には、データ処理手段８３は、チャネル情報検出チャネルのデータが不適格である不適格フレームに対し、（ａ）該不適格フレームより１つ前に受信したフレームに適用したチャネル情報に該不適格フレームのチャネル情報を決定するか、又は（ｂ）該１つ前に受信したフレームを含む第１の所定数の連続順番のフレームに適用したチャネル情報がすべて同一である場合には、該同一のチャネル情報に該不適格フレームのチャネル情報を決定するかする。そして、決定チャネル情報を該不適格フレームに適用して該不適格フレームの各機能チャネルのデータを処理する。
【００４７】
（ａ）の具体例は、図７に関連して説明したものである。携帯型デジタル無線機１０が音声通信中に受信するフレームはほぼ図２のフレーム２のみであり、このような事実に基づき今回の受信フレームも音声通信用のフレームであると判断することができる。
【００４８】
デジタル送信機がデータを高速に送信したい場合には、音声チャネル（ＶＣＨ）をスチールして、高速情報チャネル（ＦＡＣＣＨ１）に置き換える場合がある。また、その場合に、高速情報チャネル付きフレームが連続して送信されるずに、高速情報チャネル付きフレームと音声通信用フレームとが交互に送信されることがある。そのような場合には、（ａ）のように、当該フレームより１つ前に受信したフレームのチャネル情報のみを調べて、それを当該フレームのチャネル情報に早計に適用せず、（ｂ）のように、当該フレームより１つ前に受信したフレームを含む過去の第１の所定数の連続フレームのチャネル情報が同一であれば、その同一のチャネル情報を今回のフレームにも適用することは意義がある。この場合、過去の第１の所定数の連続フレームのチャネル情報の履歴を調べる必要があるが、このために、図８の内部メモリ７８を利用することができる。
【００４９】
データ処理手段８３は、チャネル情報検出チャネルのデータが不適格である不適格フレームに対し、該不適格フレームより１つ前に受信したフレームを含む第２の所定数の連続順番のフレームに適用したチャネル情報について周期性がある場合には、該不適格フレームのチャネル情報を該周期性に基づき決定し、決定チャネル情報を該不適格フレームに適用して該不適格フレームの各機能チャネルのデータを処理する。
【００５０】
第２の所定数は、第１の所定数と相違していても、同一であってもよい。周期性に基づきチャネル情報を決定する具体例は、図８の内部メモリ７８に関連して説明したものである。内部メモリ７８の説明では、フレームの種類が図２のフレーム２，３の２種類しかなく、かつ交互に繰り返す場合について説明しているが、データ処理手段８３が扱う周期性には、３種類以上のフレームが存在して、それらの受信順番に周期性が認められる場合の周期性をすべて含む。
【００５１】
図１０はデジタル受信機制御方法９０のフローチャートである。デジタル受信機制御方法９０はデジタル受信機８０に適用される。Ｓ９１では、デジタル変調の受信信号についての同期確立後に継続する同期継続期間であるか否かを判定する。該判定が正であれば、Ｓ９２へ進み、否であれば、デジタル受信機制御方法９０を終了する。
【００５２】
Ｓ９２では、受信信号から抽出した各フレームの内、そのフレーム同期ワードが検出不能又はそのチャネル情報検出チャネルのデータが不適格であるフレームを不適格フレームとして検出する。そして、今回受信のフレームが不適格フレームであれば、Ｓ９３へ進み、不適格フレームでなければデジタル受信機制御方法９０を終了する。
【００５３】
Ｓ９３では、チャネル情報検出チャネルのデータが適格となっているか否かを判定し、判定が正であれば、Ｓ９４へ進み、否であれば、デジタル受信機制御方法９０を終了する。Ｓ９４では、該データからチャネル情報を取得し、Ｓ９５では、該チャネル情報に基づき該不適格フレームの各機能チャネルのデータを処理する。
【００５４】
Ｓ９１，Ｓ９２の処理はデジタル受信機８０（図９）の同期継続期間判定手段８１及び不適格フレーム検出手段８２の機能にそれぞれ対応している。同期継続期間判定手段８１及び不適格フレーム検出手段８２の機能について説明した具体的態様は、デジタル受信機制御方法９０において対応するＳ９１，Ｓ９２の処理の具体的態様としても適用可能である。
【００５５】
Ｓ９３〜Ｓ９５の処理はデジタル受信機８０のデータ処理手段８３の機能に対応している。Ｓ９３〜Ｓ９５では、不適格フレームの内、チャネル情報検出チャネルのデータが適格のものに関連する処理を実施しているが、データ処理手段８３が不適格フレームの内のチャネル情報検出チャネルのデータが不適格のものに適用した処理に対応する機能のステップをＳ９３〜Ｓ９５の後に追加したり、Ｓ９３〜Ｓ９５と置き換えたりすることもできる。
【００５６】
本発明を適用したプログラムは、コンピュータをデジタル受信機８０の各手段として機能させる。本発明を適用した別のプログラムは、デジタル受信機制御方法９０の各ステップをコンピュータに実行させる。
【００５７】
本明細書は様々な発明を開示している。それら発明は、発明の最良の形態の項で説明した各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。 
【図面の簡単な説明】
【００５８】
【図１】携帯型デジタル無線機の概略構成図である。
【図２】携帯型デジタル無線機において利用するフレームの構成図である。
【図３】受信電波不良時のフレームの構成説明図である。
【図４】携帯型デジタル無線機における一連の同期処理における状態遷移図である。
【図５】携帯型デジタル無線機における同期確立方法のフローチャートである。
【００５９】
【図６】携帯型デジタル無線機における同期追従方法のフローチャートである。
【図７】フレーム同期ワード及びリンク情報チャネルが共にＮＧであるフレームのチャネル情報構築の説明図である。
【図８】リンク情報チャネルがＮＧであるフレームのチャネル情報を受信フレームの履歴に基づき構築する場合の内部メモリにおける履歴格納状態を示す図である。
【図９】デジタル受信機のブロック図である。
【図１０】デジタル受信機制御方法のフローチャートである。
【符号の説明】
【００６０】
８０：デジタル受信機、８１：同期継続期間判定手段、８２：不適格フレーム検出手段、８３：データ処理手段、９０：デジタル受信機制御方法。
【図１】
0005056400.tif 000002
【図２】
0005056400.tif 000003
【図３】
0005056400.tif 000004
【図４】
0005056400.tif 000005
【図５】
0005056400.tif 000006
【図６】
0005056400.tif 000007
【図７】
0005056400.tif 000008
【図８】
0005056400.tif 000009
【図９】
0005056400.tif 000010
【図１０】
0005056400.tif 000011